(57)【要約】【課題】  簡単な操作で複数の通信路から接続すべき所望の通信路を選択して接続する。【解決手段】  電話システム１は、親機ＢＡＳＥ１と複数の子機ＨＳｋとを含んでいる。回線制御部１８ａ，２０ａが、公衆回線Ｌ１，Ｌ２からの着信を検知すると、ＭＭＩ制御部１３ｃ，３３ｂは、外線着信の検知結果を表示器１６，３４にそれぞれ交互に表示させる。このとき、公衆回線Ｌ１からの着信があったことを示す情報と、公衆回線Ｌ２からの着信があったことを示す情報と、待機状態にある機器（子機ＨＳｋなど）に関する情報とを切り替えて表示する。２つの外線着信情報のいずれかが表示されているときにキー操作部１７または３５のキーが操作されると、公衆回線Ｌ１，Ｌ２のいずれかの外線鳴動に対して応答する処理を行う。また、待機状態の表示時にキー操作部１７または３５の内線呼び出しキーが操作されると、待機状態にある機器に内線呼び出しを行う処理を行う。【選択図】  図１
2005244874.tif 000002
【特許請求の範囲】
【請求項１】
複数の通信路に接続可能な通信端末装置において、
表示部と、
１つの通信路を前記通信端末装置に接続する操作のための接続操作部と、
各通信路についての通信要求状態の情報を切り替えて前記表示部に表示させる表示制御手段と、
前記表示部に通信要求状態情報が表示されているときに前記接続操作部が操作されると、当該通信要求状態情報が表示されている通信路を前記通信端末装置に接続する接続手段とを備えていることを特徴とする通信端末装置。
【請求項２】
前記通信路は、少なくとも１つの公衆回線と少なくとも１つの内線とを含んでいることを特徴とする請求項１に記載の通信端末装置。
【請求項３】
前記通信端末装置は互いに通信可能に接続可能であり、
前記通信要求状態情報は、互いに通信可能に接続された通信端末装置における待機状態にある通信端末装置についての待機情報を含んでおり、
前記接続手段は、前記表示部に待機情報が表示されているときに前記接続操作部が操作されると、待機情報で示された待機状態にある通信端末装置からの発呼処理のために前記公衆回線を接続することを特徴とする請求項２に記載の通信端末装置。
【請求項４】
請求項３に記載の通信端末装置を複数備えていることを特徴とする通信システム。
【請求項５】
複数の通信路のうち１つに通信端末装置を接続する通信制御方法において、
各通信路についての通信要求状態の情報を切り替えて表示部に表示させる表示処理と、
前記表示部に通信要求状態情報が表示されているときに、１つの通信路を前記端末装置に接続するための操作がなされると、当該通信要求状態情報が表示されている通信路を接続する接続処理とを行うことを特徴とする通信制御方法。
【請求項６】
前記通信路は、少なくとも１つの公衆回線と少なくとも１つの内線とを含んでいることを特徴とする請求項５に記載の通信制御方法。
【請求項７】
通信端末装置は互いに通信可能に接続可能であり、
前記通信要求状態情報は、互いに通信可能に接続された通信端末装置における待機状態にある通信端末装置についての待機情報を含んでおり、
前記接続処理は、前記表示部に待機情報が表示されているときに前記操作がなされると、待機情報で示された待機状態にある通信端末装置からの発呼処理のために前記公衆回線を接続することを特徴とする請求項６に記載の通信制御方法。
【発明の詳細な説明】
【技術分野】
【０００１】
本発明は、複数の通信路から１つを選択して接続するための操作を簡素化した通信端末装置、通信システムおよび通信制御方法に関するものである。
【背景技術】
【０００２】
従来、電話通信装置には、複数回線の通信路に接続され可能な機種がある。このような電話通信装置では、回線を使用するために複数回線からいずれか１つを選択しなければならないため、回線を捕捉する各種の制御方法が採用されている（例えば、特許文献１参照）。
【０００３】
特許文献１に記載された電話通信装置は、複数の通話ユニットに対してそれぞれ優先的に使用される回線を割り当てたり、ユーザの指示にしたがって回線を捕捉したりする。また、この電話通信装置では、２つの回線のうち一方が選択されている状態で他方に着呼があると、着呼があった回線が選択されて捕捉される。これにより、ユーザがわざわざ着呼のあった回線を選択するための操作を不要にすることができる。
【特許文献１】特開２００３−２８４１４３号公報（２００３年１０月３日公開）
【発明の開示】
【発明が解決しようとする課題】
【０００４】
しかしながら、上記の構成では、通話ユニット毎に優先的に使用される回線が割り当てられているので、ユーザが所望とする回線を捕捉できない可能性がある。また、上記の構成では、ユーザの指示にしたがって回線を捕捉するための指示操作が必要であり、ユーザがその操作を覚えなければならず、また操作が複雑になれば誤操作を生じる可能性が高くなる。さらに、上記の構成では、ユーザが望まない着呼があったときにも着呼のあった回線を優先して捕捉するので、そのときに未使用の回線を使用して発呼しようとすれば、ユーザはその回線を選択するための操作をしなければならない。この場合は、ユーザに複雑な操作が要求されるという不都合がある。
【０００５】
また、親機とコードレス子機とを備えた電話システムでは、親機に１つの回線が接続される機種であっても、その回線に対する着呼時の回線捕捉だけでなく子機または親機からの内線呼出への応答のための操作が必要である。このため、外線と内線との通信路の選択のための操作には、複数回線から所望の回線を選択するための上記の構成と同様の不都合が生じる。
【０００６】
本発明は、上記の問題点に鑑みてなされたものであり、その目的は、簡単な操作で複数通信路から接続すべき所望の通信路を選択することができる通信端末装置を提供することにある。
【課題を解決するための手段】
【０００７】
本発明に係る通信端末装置は、複数の通信路に接続可能な通信端末装置において、上記課題を解決するために、表示部と、１つの通信路を前記通信端末装置に接続する操作のための接続操作部と、各通信路についての通信要求状態の情報を切り替えて前記表示部に表示させる表示制御手段と、前記表示部に通信要求状態情報が表示されているときに前記接続操作部が操作されると、当該通信要求状態情報が表示されている通信路を前記通信端末装置に接続する接続手段とを備えていることを特徴としている。
【０００８】
また、本発明に係る通信制御方法は、複数の通信路のうち１つに通信端末装置を接続する通信制御方法において、上記課題を解決するために、各通信路についての通信要求状態の情報を切り替えて表示部に表示させる表示処理と、前記表示部に通信要求状態情報が表示されているときに、１つの通信路を前記端末装置に接続するための操作がなされると、当該通信要求状態情報が表示されている通信路を接続する接続処理とを行うことを特徴としている。
【０００９】
上記の端末通信装置および通信制御方法では、通信要求状態として、通信要求のある状態とない状態とが考えられる。例えば、複数の通信路のすべてについて通信要求のある状態では、表示制御手段によって、各通信路について通信要求があったことが、通信要求状態情報として表示部に切り替えて表示される。そして、ある通信路について通信要求があることを示す通信要求状態情報が表示されている状態で、通信路を接続するための操作が接続操作部でなされると、接続手段によって、当該通信路が接続される。このように、通信端末装置に通信路を接続するための操作が通信路を選択する操作を兼ねるので、通信路を選択するためだけの操作は不要となる。
【００１０】
前記の通信端末装置および通信制御方法において、前記通信路は、少なくとも１つの公衆回線と少なくとも１つの内線とを含んでいることが好ましい。この構成では、単一の公衆回線および単一の内線、単一の公衆回線および複数の内線、複数の公衆回線および単一の内線、ならびに複数の公衆回線および複数の公衆回線のそれぞれの組み合わせが存在する。それゆえ、上記のように操作が簡素化されることにより、このような組み合わせから１つの通信路を容易に選択して接続することができる。
【００１１】
前記の通信端末装置は互いに通信可能に接続可能であり、前記通信要求状態情報は、互いに通信可能に接続された通信端末装置における待機状態にある通信端末装置についての待機情報を含んでおり、接続の処理は、表示部に待機情報が表示されているときに前記操作がなされると、待機情報で示された待機状態にある通信端末装置からの発呼処理のために前記公衆回線を接続することが好ましい。待機状態とは、例えば、前述の通信要求のない状態に相当する。
【００１２】
この構成では、どの通信端末装置が待機状態にあるかが表示部に表示され、そのときに前記操作がなされると、その待機状態にある通信端末装置に対し公衆回線を接続して発呼処理が可能となる。これにより、通信路を介して通信要求がある状態でも、その通信路への接続を選択せずに、未使用の公衆回線があれば、それに接続して発呼することができる。
【００１３】
本発明の通信システムは、前述の通信端末装置を複数備えていることを特徴としている。このような通信システムでは、通信端末装置間の通信も内線などの通信路として扱うことができる。したがって、どの通信端末装置からでも、通信要求状態情報に対する接続のための操作を簡単に行うことができる。
【発明の効果】
【００１４】
本発明に係る通信端末装置および通信制御方法は、以上のように、切り替えて表示される通信要求情報を確認しながら通信路を接続するための操作するので、複数の通信路から１つ選択して接続するための操作が簡素化される。したがって、本発明を採用することにより、操作性の優れた通信システムを構築することができるという効果を奏する。
【発明を実施するための最良の形態】
【００１５】
〔実施形態１〕
本発明の一実施形態について図１ないし図５に基づいて説明すると以下の通りである。
【００１６】
図２は、本実施の形態に係る電話システム１の構成を示している。
【００１７】
通信システムとしての電話システム１は、デジタルコードレス電話システムであり、親機ＢＡＳＥ１と複数の子機ＨＳ１，ＨＳ２，ＨＳ３，…（任意の１つを表すときはＨＳｋと称する）とを通信端末装置として備えている。親機ＢＡＳＥ１は、電話機だけではなくＦＡＸ装置としての機能も有しており、２つの公衆回線Ｌ１，Ｌ２に接続可能である。親機ＢＡＳＥ１は、通信の管理装置としてこれら公衆回線Ｌ１，Ｌ２の制御を行うとともに、ＲＦ通信によって子機ＨＳ１，ＨＳ２，ＨＳ３，…によるデータの授受や通話を制御する。なお、公衆回線数は２つに限ることはなく、一般に複数でよい。また、子機ＨＳｋの数が任意であってよいことはもちろんである。
【００１８】
図１は、上記電話システム１における親機ＢＡＳＥ１および子機ＨＳｋの各構成を示している。
【００１９】
まず、親機ＢＡＳＥ１の構成について説明する。
【００２０】
親機ＢＡＳＥ１（通信端末装置）は、回線インタフェースユニット（図中、ＬＩＵ）１１、アナログスイッチ部１２、ＦＡＸ制御部１３、アナログ制御部１４、受話器１５、表示器１６、キー操作部（図中、ＫＥＹ）１７、ベースバンド制御部１８，２０、記憶装置１９、ＲＦユニット２１、ＰＣＭバス２２、シリアルバス２３およびアンテナ２４を備えている。
【００２１】
回線インタフェースユニット１１は、公衆回線Ｌ１，Ｌ２の２回線用の回線インターフェースである。
【００２２】
アナログスイッチ部１２は、受話器１５による通話あるいはＦＡＸ機能による通信を行うために、ＦＡＸ制御部１３を公衆回線Ｌ１，Ｌ２のいずれかへの接続を切り替えるためのスイッチ回路である。このため、アナログスイッチ部１２は、公衆回線Ｌ１，Ｌ２のいずれか一方を後述の回線制御部１３ａに接続するスイッチ１２ａを含んでいる。スイッチ１２ａは、通常、公衆回線Ｌ２に接続されており、回線制御部１８ａからの公衆回線Ｌ１への接続要求によってスイッチ制御部１８ｂから指示が与えられたときのみ公衆回線Ｌ１へ接続するように切り替え動作をする。
【００２３】
アナログ制御部１４は、公衆回線Ｌ１，Ｌ２を介した受話器１５による通話に際してアナログの音声処理を行う。このアナログ制御部１４はＦＡＸ制御部１３に接続されている。受話器１５は、アナログ処理部１４にコードを介して接続されている。
【００２４】
表示器１６（表示部）は、液晶表示装置やＥＬ（Electro Luminescence）表示装置などのフラットパネルディスプレイである。この表示器１６は、通話および通信の状況を示したり、ユーザに各種操作を促したりするための各種文字情報を表示する。
【００２５】
キー操作部（図中、ＫＥＹ）１７は、番号キーなどの各種の操作のためのキーを含んでいる。接続操作部としてのキー操作部１７が有する全てのキーは、後述のように、ＭＭＩ制御部１３ｃによって、公衆回線Ｌ１，Ｌ２からの着信または子機ＨＳｋからの着信が表示器１６に表示されているときに、公衆回線Ｌ１もしくはＬ２または子機ＨＳｋ（アンテナ２４，３１間のＲＦ通信）に接続するためのキーとして機能する。また、キー操作部１７は、内線呼び出し（内線接続要求）を指示入力するための内線呼び出しキーと、発呼（発呼のための外線接続要求）を指示入力するためのＴＡＬＫキー（発呼用に割り当てられた所定のキー）とを含んでいる。
【００２６】
ＦＡＸ制御部１３は、ＦＡＸ機能を制御し、回線制御部１３ａ、モデム１３ｂ、マンマシンインタフェース制御部（以降、ＭＭＩ制御部と称する）１３ｃ、シリアル通信制御部１３ｄを備えている。
【００２７】
回線制御部１３ａは、受話器１５および子機ＨＳｋによる通話、ならびにＦＡＸ機能による通信のために回線の制御を行う。また、回線制御部１３ａは、受話器１５と子機ＨＳｋとの間で行われる内線通話のための内部回線の制御を行う部分であり、内線通話時にシリアル通信制御部１３ｄとアナログ制御部１４とを接続する。
【００２８】
アナログ制御部１４は、公衆回線Ｌ１，Ｌ２を介した受話器１５による通話に際してアナログの音声処理を行う。モデム１３ｂは１４．４ｋｂｐｓでＦＡＸ通信を行うための変調および復調を行う。
【００２９】
ＭＭＩ制御部１３ｃは、表示器１６にユーザへ伝達するための操作情報などを表示したり、ユーザによるキー操作部１７の操作入力を受け付けて各部へ所要の指示を行ったりするための制御を行う。また、ＭＭＩ制御部１３ｃは、子機ＨＳ１，ＨＳ２，ＨＳ３，…との間の無線通信路および公衆回線Ｌ１，Ｌ２からなる複数の通信路のうちのいずれか１つを選んで通話するためのユーザインターフェースを提供する。具体的には、ＭＭＩ制御部１３ｃは、後述する回線制御部１８ａ，２０ａおよびＲＦ制御部１８ｄによる着呼の検知結果に基づいて、複数の通信路における通話要求（着呼）状態を通信路毎に所定時間（例えば２秒）間隔で順次切り替えて表示器１６に表示する。通話要求状態としては、すなわち公衆回線Ｌ１，Ｌ２からの着呼（外線着信）および子機からの呼出（内線着信）のそれぞれの有無が挙げられる。
【００３０】
例えば、図３（ａ）に示すように、ＭＭＩ制御部１３ｃは、公衆回線Ｌ１から着信があったとき、“RINGING”と表示するとともに、相手先の情報を表示するサービスを受ける契約（CALLER-ID 契約）を通信会社と結んでいれば、相手先の名前および番号を併せて表示する。また、図３（ｂ）に示すように、ＭＭＩ制御部１３ｃは、公衆回線Ｌ２から着信があったとき、“RINGING2”と表示するとともに、上記契約を通信会社と結んでいれば、相手先の名前および番号を併せて表示する。また、図３（ｃ）に示すように、ＭＭＩ制御部１３ｃは、子機ＨＳｋから内線着信があったとき、“INTERCOM”と表示するとともに、子機番号などの子機ＨＳｋに関する情報を併せて表示する。さらに、図３（ｄ）に示すように、ＭＭＩ制御部１３ｃは、ベースバンド制御部１８，３３から得た、親機ＢＡＳＥ１および子機ＨＳｋが待機状態（内線呼び出しおよび発呼が可能な状態）にあることを示す待機情報に基づいて、待機状態にある親機ＢＡＳＥ１および子機ＨＳｋについての情報（例えば子機番号）を表示する。
【００３１】
ＭＭＩ制御部１３ｃは、通話要求状態として公衆回線Ｌ１，Ｌ２からの着信または子機ＨＳｋからの着信が表示器１６に表示されているときに、キー操作部１７の任意のキーが操作されると、アナログ制御部１４をアナログスイッチ部１２（外線応答時）またはシリアル通信制御部１３ｄ（内線応答時）に接続するように回線制御部１３ａに指示する。また、ＭＭＩ制御部１３ｃは、通話要求状態として待機状態が表示器１６に表示されているときに、キー操作部１７の内線呼び出しキーが操作されると、待機状態にある子機ＨＳｋに対する内線呼び出し処理を行なうように回線制御部１３ａに指示する。また、ＭＭＩ制御部１３ｃは、前記のＴＡＬＫキーが操作されると、待機状態にある親機ＢＡＳＥ１または子機ＨＳｋが発呼処理を行なうことができるように、回線制御部１８ａまたは回線制御部２０ａに指示する。
【００３２】
シリアル通信制御部１３ｄは、ＦＡＸ制御部１３と、後述するベースバンド制御部１８との間のシリアルバス２３を介した通信を制御する。
【００３３】
２つあるベースバンド制御部１８，２０のうち、ベースバンド制御部１８はマスタ側の制御部であり、公衆回線Ｌ１を介した子機ＨＳｋによる通信のベースバンド信号を処理するための送受信回路を備えている。一方、ベースバンド制御部２０はスレーブ側の制御部であり、公衆回線Ｌ２を介した子機ＨＳｋによる通信のベースバンド信号を処理するための送受信回路を備えている。
【００３４】
ベースバンド制御部１８は、回線制御部１８ａ、スイッチ制御部１８ｂ、シリアル通信制御部１８ｃ、ＲＦ制御部１８ｄを備えており、マスターとして機能する。このベースバンド制御部１８は、親機ＢＡＳＥ１が例えば次の（ａ）ないし（ｃ）の状態にない場合、親機ＢＡＳＥ１を待機状態（通話要求などを受けない状態）であると判断する。
（ａ）ＭＭＩ制御部１３ｃがユーザのキー操作などによって機能操作を行っている状態
（ｂ）親機ＢＡＳＥ１が外線または内線の着信を受けている状態
（ｃ）子機ＨＳｋが親機ＢＡＳＥ１のデータを取り込む動作または変更する動作を行っている状態
なお、（ｃ）のデータ取込動作およびデータ変更動作は、親機ＢＡＳＥ１の電話番号帳のサーチ／編集、親機ＢＡＳＥ１の受信モードの変更、親機ＢＡＳＥ１の留守番電話メッセージを子機ＨＳｋで再生する状態などの動作である。つまり、親機ＢＡＳＥ１の待機状態は、子機ＨＳｋに対しては内線呼び出し可能な状態であり、公衆回線Ｌ１，Ｌ２に対しては発呼可能な状態である。
【００３５】
一方、ベースバンド制御部２０は、回線制御部２０ａ、ＲＦ制御部２０ｂを備えており、スレーブとして機能する。このベースバンド制御部２０は、ベースバンド制御部１８によって制御される。
【００３６】
回線制御部１８ａは、公衆回線Ｌ１による通話および通信を制御するとともに、子機ＨＳｋによる通話および通信を制御する。また、回線制御部１８ａは、ＦＡＸ制御部１３からのシリアル通信による指示またはＲＦ制御部１８ｄを介した子機ＨＳｋ（ＭＭＩ制御部３３ｂ）からの指示にしたがって、スイッチ制御部１８ｂに公衆回線Ｌ１への接続要求を与える。上記の指示は、次の（１）ないし（３）を含む。
（１）公衆回線Ｌ１からの着信時あるいは公衆回線Ｌ１を介した発呼時に、ユーザが受話器１５を取り上げたことによってオフフック状態となったこと、またはユーザが子機ＨＳｋに対して外線接続要求のキー操作をしたことに応答して受ける指示
（２）ユーザによるキー操作部１７，３５への入力に応答してＭＭＩ制御部１３ｃ，３３ｂから受ける指示
（３）ユーザが受話器１５を受話器台に戻すことによってオンフック状態となったこと、またはユーザが子機ＨＳｋに対して外線切断要求のキー操作をしたことに応答して受ける指示
上記の指示は、シリアル通信制御部１８ｃと、ＦＡＸ制御部１３のシリアル通信制御部１３ｄとの間でシリアルバス２４を介したシリアル通信によって伝送される。また、このシリアル通信は、親機ＢＡＳＥ１と子機ＨＳｋとの間の内線通話にも利用される。
【００３７】
回線制御部２０ａは、公衆回線Ｌ２による通話および通信を制御するとともに、子機ＨＳｋによる通話および通信を制御する。
【００３８】
回線制御部１８ａ，２０ａは、それぞれ公衆回線Ｌ１，Ｌ２からの着信を監視している。回線制御部１８ａ，２０ａは、着信を検知すると、着信の検知を、発呼相手先の情報（相手先名および相手先番号）と併せてＭＭＩ制御部１３ｂおよび後述するＭＭＩ制御部３３ｂに通知する。また、回線制御部１８ａ，２０ａは、ＭＭＩ制御部１３ｃ，３３ｂの発呼指示に基づいて、未使用の公衆回線Ｌ１，Ｌ２の捕捉などの発呼処理を行う。
【００３９】
スイッチ制御部１８ｂは、回線制御部１８ａからの接続要求にしたがって、アナログスイッチ部１２におけるスイッチ１２ａの切り替えを制御する。
【００４０】
ＲＦ制御部１８ｄは、子機ＨＳｋを用いて行う公衆回線Ｌ１を介した通話および通信、、ならびに子機ＨＳｋと親機ＢＡＳＥ１との内線通話および通信のため処理を行う。また、ＲＦ制御部２０ｂは、子機ＨＳｋを用いて行う公衆回線Ｌ２を介した通話および通信のための処理を行う。これらの処理は、子機ＨＳｋへの送信時におけるベースバンド信号のＡ／Ｄ変換、符号化および１次変調、子機ＨＳｋからの受信時における復調、ベースバンド信号への復号化およびＤ／Ａ変換などである。ＲＦ制御部２０ｂと公衆回線Ｌ２と間の信号のやり取りは、ＲＦ制御部１８ｄを介して行われる。ＲＦ制御部１８ｄ，２０ｂ間の通信はＰＣＭバス２２を介してＰＣＭバス通信によって行われる。
【００４１】
また、ＲＦ制御部１８ｄは、子機ＨＳｋからの受信を検知する機能を有しており、受信（内線着信）の検知を、その子機ＨＳｋの子機番号を示すデータと併せてＭＭＩ制御部１３ｃに通知する。また、ＲＦ制御部１８ｄは、ベースバンド制御部１８により親機ＢＡＳＥ１（自機）が待機状態にあると判断したことを、各子機ＨＳｋのベースバンド制御部３３へ通知する。
【００４２】
ＲＦユニット２１は、ＲＦ制御部１８ｄ，２０ｂから子機ＨＳｋへ送信される１次変調された信号の２次変調、および子機ＨＳｋからの受信した２次変調からの復調を行うために設けられている。ＲＦユニット２１から出力される高周波信号は、アンテナ２４によって子機ＨＳｋへ送信される。また、アンテナ２４によって受信された子機ＨＳｋからの高周波信号はＲＦユニット２１に入力される。
【００４３】
記憶装置１９は、例えば不揮発性ＲＡＭであり、親機ＢＡＳＥ１の動作を制御するプログラムを格納する記録媒体である。親機ＢＡＳＥ１は、この他、音声データや通信データのバッファリングに用いられる記憶装置を備えていてもよい。
【００４４】
次に、子機ＨＳｋの構成について説明する。
【００４５】
子機ＨＳｋは、アンテナ３１、ＲＦユニット３２、ベースバンド制御部３３、表示器３４、キー操作部３５、送話マイク３６、受話スピーカ３７、背面スピーカ３８、記憶装置３９を備えている。
【００４６】
アンテナ３１は、親機ＢＡＳＥ１のアンテナ２４との間、または他の子機ＨＳｋのアンテナ２４との間での送受信に用いられる。ＲＦユニット３２は、親機ＢＡＳＥ１または他の子機ＨＳｋへの送信時における２次変調、および親機ＢＡＳＥ１または他の子機ＨＳｋからの受信時における復調を行うために設けられている。
【００４７】
表示器３４（表示部）は、表示器１６と同様、液晶表示装置やＥＬ表示装置などのフラットパネルディスプレイであり、通話および通信の状況を示したり、ユーザに各種操作を促したりするための各種文字情報を表示する。
【００４８】
キー操作部（図中、ＫＥＹ）３５は、キー操作部１７と同様、番号キーなどの各種の操作のためのキーを含んでいる。接続操作部としてのキー操作部３５が有する全てのキーは、後述のように、ＭＭＩ制御部３３ｃによって、公衆回線Ｌ１，Ｌ２からの着信または子機ＨＳｋからの着信が表示器３４に表示されているときに、公衆回線Ｌ１もしくはＬ２、他の子機ＨＳｋ（アンテナ３１間のＲＦ通信）または親機ＢＡＳＥ１（アンテナ２４，３１間のＲＦ通信）に接続するためのキーとして機能する。また、キー操作部３５は、内線呼び出し（内線接続要求）を指示入力するための内線呼び出しキーと、発呼（発呼のための外線接続要求）を指示入力するためのＴＡＬＫキー（発呼用に割り当てられた所定のキー）とを含んでいる。
【００４９】
ベースバンド制御部３３は、ＲＦ制御部３３ａ、ＭＭＩ制御部３３ｂを備えている。  このベースバンド制御部３３は、子機ＨＳｋが例えば次の（ａ）および（ｂ）の状態にない場合、子機ＨＳｋを待機状態（通話要求などを受けない状態）であると判断する。
（ａ）ＭＭＩ制御部３３ｂがユーザのキー操作などによって機能操作を行っている状態
（ｂ）ベースバンド制御部３３のＲＦ制御部３３ａがベースバンド制御部１８から動作指示コマンド（外線および内線着信通知など）を受けている状態
つまり、子機ＨＳｋの待機状態は、親機ＢＡＳＥ１または他の子機ＨＳｋに対しては内線呼び出し可能な状態であり、公衆回線Ｌ１，Ｌ２に対しては発呼可能な状態である。
【００５０】
ＲＦ制御部３３ａは、親機ＢＡＳＥ１への送信時におけるベースバンド信号のＡ／Ｄ変換、符号化および１次変調、親機ＢＡＳＥ１からの受信時における復調、ベースバンド信号への復号化およびＤ／Ａ変換などを行う。また、ＲＦ制御部３３ａは、親機ＢＡＳＥ１または他の子機ＨＳｋからの受信を検知する機能を有しており、受信（内線着信）の検知を、親機ＢＡＳＥ１を示す情報または他の子機ＨＳｋを示す情報（例えば子機番号）を示すデータと併せて後述するＭＭＩ制御部３３ｂに通知する。また、ＲＦ制御部３３ａは、外線着信または内線着信を受けると、その着信をＭＭＩ制御部３３ｂに通知するとともに、ＭＭＩ制御部３３ｂからの外線応答または内線応答の指示を受けると、受信信号の処理を行う。さらに、ＲＦ制御部３３ａは、ベースバンド制御部３３により子機ＨＳｋ（自機）が待機状態にあると判断したことを、親機ＢＡＳＥ１のベースバンド制御部１８および他の子機ＨＳｋのベースバンド制御部３３へ通知する。
【００５１】
ＭＭＩ制御部３３ｂは、表示器３４にユーザへ伝達する操作情報などを表示したり、ユーザによるキー操作部３５の操作入力を受け付けて各部へ所要の指示を行ったりするための制御を行う。また、ＭＭＩ制御部３３ｂは、キー操作部３５からの上記の操作入力により、送話マイク３６、受話スピーカ３７、背面スピーカ３８の動作を制御する。
【００５２】
その他、ＭＭＩ制御部３３ｂは、自機以外の子機ＨＳｋとの間の無線通信路および公衆回線Ｌ１，Ｌ２からなる複数の通信路のうちのいずれか１つを選んで通話するためのユーザインターフェースを提供する。具体的には、ＭＭＩ制御部３３ｂは、回線制御部１８ａ，２０ａおよびＲＦ制御部１８ｄによる着呼の検知結果に基づいて、複数の通信路における通話要求（着呼）状態を通信路毎に所定時間（例えば２秒）間隔で順次切り替えて表示器３４に表示する。通話要求状態としては、公衆回線Ｌ１，Ｌ２からの着呼（外線着信）および子機からの呼出（内線着信）のそれぞれの有無が挙げられる。ＭＭＩ制御部３３ｂは、具体的には、図３（ａ）ないし（ｄ）に示すように、ＭＭＩ制御部１３ｃが表示器１６に表示するのと同様、表示器３４に各種の情報を表示する。
【００５３】
さらに、ＭＭＩ制御部３３ｂは、ＭＭＩ制御部１３ｃと同様、通話要求状態として公衆回線Ｌ１，Ｌ２からの着信または子機ＨＳｋからの着信が表示器３４に表示されているときに、キー操作部３５の任意のキーが操作されると、回線制御部１３ａまたはシリアル通信制御部１３ｄにアナログ制御部１４と接続するように指示する。また、ＭＭＩ制御部３３ｂは、通話要求状態として待機状態が表示器３４に表示されているときに、キー操作部３５の内線呼び出しキーが操作されると、待機状態にある他の子機ＨＳｋに対し内線呼び出し処理を行うか、または待機状態にある親機ＢＡＳＥ１に対する内線呼び出し処理を行なうように回線制御部１３ａに指示する。また、ＭＭＩ制御部１３ｃは、通話要求状態として待機状態が表示器３４に表示されているときに、前記のＴＡＬＫキーが操作されると、待機状態にある子機ＨＳｋに対する発呼処理を行なうように、回線制御部１８ａおよびＲＦ制御部１８ｄまたは回線制御部２０ａおよびＲＦ制御部２０ｂに指示する。これらの指示は、子機ＨＳｋからＲＦ通信によって親機ＢＡＳＥ１に伝達される。
【００５４】
記憶装置３９は、例えば不揮発性ＲＡＭであり、子機ＨＳｋの動作を制御するプログラムを格納する記録媒体である。子機ＨＳｋは、この他、音声データや通信データのバッファリングに用いられる記憶装置を備えていてもよい。
【００５５】
なお、上記のＦＡＸ制御部１３ｃおよびベースバンド制御部１８，３３は、ハードウェアで構成されていてもよいが、ＣＰＵ（マイクロプロセッサ）などの演算手段が、固定的に設けられた記憶装置１９，３９に記憶されたプログラムを実行することにより実現される機能であってもよい。また、親機ＢＡＳＥ１および子機ＨＳｋは、上記のプログラムをリムーバブルな記録媒体から読み取り可能に設けられていてもよい。
【００５６】
この記録媒体としては、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【００５７】
また、インターネットを含む通信ネットワークを接続可能なシステム構成であれば、通信ネットワークからプログラムをダウンロードするように流動的にプログラムを担持する記録媒体であることが好ましい。
【００５８】
さらに、このように通信ネットワークからプログラムをダウンロードする場合には、そのダウンロード用のプログラムは予め本体装置に格納しておくか、あるいは別な記録媒体からインストールされるものであることが好ましい。
【００５９】
また、記録媒体がいずの形態であっても、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【００６０】
続いて、上記のように構成される電話システム１における、公衆回線Ｌ１，Ｌ２の外線着信または子機ＨＳｋからの内線着信に対する親機ＢＡＳＥ１の動作、および公衆回線Ｌ１，Ｌ２の外線着信または親機ＢＡＳＥ１もしくは他の子機ＨＳｋからの内線着信に対する子機ＨＳｋの動作について説明する。
【００６１】
まず、公衆回線Ｌ１，Ｌ２のうち一方のみからの外線着信があった場合について説明する。
【００６２】
この場合、親機ＢＡＳＥ１の回線制御部１８ａ，２０ａは、それぞれ公衆回線Ｌ１，Ｌ２からの着信を監視しているが、例えば、公衆回線Ｌ１からの着信を検知すると、その検知結果をＭＭＩ制御部１３ｃ，３３ｂに通知する。また、このとき、いずれの子機ＨＳｋも発呼しておらず、待機状態にあるものとする。この状態で、ＭＭＩ制御部１３ｃ，３３ｂは、公衆回線Ｌ１からの外線着信の検知結果を、図４（ａ）に示すように表示器１６，３４に交互に表示させる。このとき、公衆回線Ｌ１からの着信があったことを示すメッセージとしての“RINGING”および相手先名および相手先番号と、待機状態にある子機ＨＳｋまたは親機ＢＡＳＥ１に関する情報とが切り替えて表示される。図４（ａ）では、子機ＨＳ１が待機状態であることを示す“HANDSET1”が表示されている。親機ＢＡＳＥ１および／または他の子機ＨＳｋが待機状態であれば、それらについても待機状態であることが切り替えて表示される。また、公衆回線Ｌ２からの着信を検知したときは、表示器１６，３４には、公衆回線Ｌ２からの着信があったことを示すメッセージとして“RINGING”に回線情報“２”を付加した“RINGING2”が表示される。
【００６３】
外線着信情報表示時にキー操作部１７または３５の任意のキーが押下されると、ＭＭＩ処理部１３ｃまたは３３ｂは、外線鳴動に対して応答するように、回線制御部１３ａに指示する。
【００６４】
待機表示時にキー操作部１７の内線呼び出しキーが押下されると、ＭＭＩ制御部１３ｃは、そのときに表示器１６に“INTERCOM”と表示されている子機ＨＳｋに内線呼び出しを行うように、回線制御部１３ａに指示する。また、待機表示時にキー操作部３５の内線呼び出しキーが押下されると、ＭＭＩ制御部３３ｂは、そのとき表示器３４に“INTERCOM”と表示されている親機ＢＡＳＥ１または他の子機ＨＳｋに内線呼び出しを行うように、回線制御部１３ａに指示する。
【００６５】
さらに、待機表示時にキー操作部１７または３５のＴＡＬＫキーが押下されると、ＭＭＩ制御部１３ｃまたは３３ｂは、未使用の外線に対して発呼処理を行うように、回線制御部１８ａまたは回線制御部２０ａに指示する。したがって、ユーザは、操作している機器の待機状態が表示されているときに、キー操作部１７または３５のＴＡＬＫキーを押下することにより、その機器を用いて外線通話をすることができる。
【００６６】
次に、親機ＢＡＳＥ１またはいずれか１つの子機ＨＳｋからの内線着信があった場合について説明する。
【００６７】
この場合、親機ＢＡＳＥ１のＲＦ制御部１８ｄは、子機ＨＳｋからの内線着信を検知すると、その検知結果をＭＭＩ制御部１３ｃに通知する。また、子機ＨＳｋのＲＦ制御部３３ａは、親機ＢＡＳＥ１または他の子機ＨＳｋからの内線着信を検知すると、その検知結果をＭＭＩ制御部３３ｂに通知する。この状態で、ＭＭＩ制御部１３ｃ，３３ｂは、内線着信の検知結果を、図４（ｂ）に示すように表示器１６，３４にそれぞれ交互に表示させる。このとき、内線着信があったことを示すメッセージとしての“INTERCOM”および相手子機（親機）情報と、待機状態にある子機ＨＳｋまたは親機ＢＡＳＥ１に関する情報とが切り替えて表示される。図４（ｂ）では、子機ＨＳ１が待機状態であることを示す“HANDSET1”が表示されている。
【００６８】
内線呼出情報表示時にキー操作部１７または３５の任意のキーが押下されると、ＭＭＩ処理部１３ｃまたは３３ｂは、内線呼び出しに対して応答するように、回線制御部１３ａまたはＲＦ制御部３３ａに指示する。
【００６９】
待機表示時にキー操作部１７または３５のＴＡＬＫキーが押下されると、ＭＭＩ制御部１３ｃまたは３３ｂは、外線に対して発呼処理を行うように、回線制御部１８ａまたは回線制御部２０ａに指示する。
【００７０】
引き続いて、複数の通信路で同時に着信があった場合について説明する。
【００７１】
まず、公衆回線Ｌ１，Ｌ２のうち一方からの外線着信と、親機ＢＡＳＥ１またはいずれか１つの子機ＨＳｋからの内線着信とが同時にあった場合について説明する。
【００７２】
この場合、回線制御部１８ａ，２０ａは、例えば、公衆回線Ｌ１からの着信を検知すると、その検知結果をＭＭＩ制御部１３ｃ，３３ｂに通知する。また、このとき、ＲＦ制御部１８ｄまたは３３ａは、前述のようにして内線着信を検知すると、その検知結果をＭＭＩ制御部１３ｃまたは３３ｂに通知する。この状態で、ＭＭＩ制御部１３ｃ，３３ｂは、外線着信および内線着信の検知結果を、図５（ａ）に示すように表示器１６，３４にそれぞれ交互に表示させる。このとき、公衆回線Ｌ１からの着信があったことを示す“RINGING”および相手先名および相手先番号と、内線着信があったことを示す“INTERCOM”および相手子機（親機）情報と、待機状態にある機器に関する情報とが切り替えて表示される。切り替えの表示は、外線着信情報表示、内線呼出情報表示、待機表示の順で繰り返されるが、この逆の順であってもよい。また、表示の順はこれらに限定されない。
【００７３】
外線着信情報表示時にキー操作部１７または３５の任意のキーが押下されると、前述のように外線鳴動に対して応答する処理が行われる。また、内線呼出情報表示時にキー操作部１７または３５の任意のキーが押下されると、前述のように内線呼び出しに対して応答する処理が行われる。さらに、待機表示時にキー操作部１７または３５のＴＡＬＫキーが押下されると、前述のように未使用の外線に対して発呼処理を行う処理が行われる。
【００７４】
次に、公衆回線Ｌ１，Ｌ２の双方からの外線着信が同時にあった場合について説明する。
【００７５】
この場合、回線制御部１８ａ，２０ａは、公衆回線Ｌ１，Ｌ２からの着信を検知すると、その検知結果をＭＭＩ制御部１３ｃ，３３ｂに通知する。この状態で、ＭＭＩ制御部１３ｃ，３３ｂは、外線着信の検知結果を、図５（ｂ）に示すように表示器１６，３４にそれぞれ交互に表示させる。このとき、公衆回線Ｌ１からの着信があったことを示す“RINGING”および相手先名および相手先番号と、公衆回線Ｌ２からの着信があったことを示す“RINGING2”および相手先名および相手先番号と、待機状態にある機器に関する情報とが切り替えて表示される。切り替えの表示は、外線着信情報表示、内線呼出情報表示、待機表示の順で繰り返されるが、この逆の順であってもよい。また、表示の順はこれらに限定されない。
【００７６】
外線着信情報表示時にキー操作部１７または３５の任意のキーが押下されると、公衆回線Ｌ１，Ｌ２のいずれかの外線鳴動に対して前述のように応答する処理が行われる。また、待機状態表示時にキー操作部１７または３５の内線呼び出しキーが押下されると、前述のように内線呼び出しを行う処理が行われる。
【００７７】
さらに、公衆回線Ｌ１，Ｌ２の双方からの外線着信と、親機ＢＡＳＥ１またはいずれか１つの子機ＨＳｋからの内線着信とが同時にあった場合について説明する。
【００７８】
この場合、回線制御部１８ａ，２０ａは、公衆回線Ｌ１，Ｌ２からの着信を検知すると、その検知結果をＭＭＩ制御部１３ｃ，３３ｂに通知する。また、このとき、ＲＦ制御部１８ｄまたは３３ａは、前述のようにして内線着信を検知すると、その検知結果をＭＭＩ制御部１３ｃまたは３３ｂに通知する。この状態で、ＭＭＩ制御部１３ｃ，３３ｂは、外線着信の検知結果を、図５（ｃ）に示すように表示器１６，３４にそれぞれ交互に表示させる。このとき、公衆回線Ｌ１からの着信があったことを示す“RINGING”および相手先名および相手先番号と、公衆回線Ｌ２からの着信があったことを示す“RINGING2”および相手先名および相手先番号と、内線着信があったことを示す“INTERCOM”および相手子機（親機）情報とが切り替えて表示される。切り替えの表示は、外線着信情報表示、外線着信情報表示（RINGING2）、内線呼出情報表示の順で繰り返されるが、この逆の順であってもよい。また、表示の順はこれらに限定されない。
【００７９】
外線着信情報表示時にキー操作部１７または３５の任意のキーが押下されると、公衆回線Ｌ１，Ｌ２のいずれかの外線鳴動に対して前述のように応答する処理が行われる。また、内線呼出情報表示時にキー操作部１７または３５の任意のキーが押下されると、前述のように内線呼び出しに対して応答する処理が行われる。
【００８０】
なお、前記のそれぞれの場合において、外線着信情報表示による外線着信および内線呼出情報表示による内線呼び出しへの応答、ならびに待機表示で示された待機状態にある機器による発呼の各処理が行なわれると、それらの表示は、ＭＭＩ制御部１３ｃ，３３ｂによって停止される。例えば、図５（ａ）に示す例では、公衆回線Ｌ１の外線着信に応答した場合、内線呼出情報表示と待機表示とが切り替えられる。
【００８１】
以上に述べたように、本実施形態に係る電話システム１は、表示部１６，３４に複数の通信路についての着信状態を表示する一方、待機状態にある機器についても表示し、これらの表示を切り替える。また、電話システム１は、通信路を接続する操作がキー操作部１７，３５により行われると、そのとき着信状態（外線着信、内線呼び出しまたは待機状態）が表示された通信路を接続する。通信路の接続に際して、そのとき待機状態が表示された機器について、未使用の外線の通信路に対し発呼処理が行われるとともに、そのとき待機状態が表示された機器について、内線の通信路に対し内線呼び出し処理が行われる。これにより、ユーザは、所望の通信路について着信状態が表示されているときに、キー操作を行うことにより、当該通信路を接続して通話を行うことができる。また、未使用の外線があれば、待機状態が表示された機器に対してＴＡＬＫキーを操作することにより、当該外線を捕捉して発呼することができる。さらに、待機状態が表示された機器に対して任意のキーを操作することにより、当該機器へ内線呼び出しすることができる。
【００８２】
このように、複数の通信路から１つ選択して接続するための操作がキー操作のみであるので、操作が簡単になる。したがって、本実施形態の構成を採用することにより、操作性の優れた電話システム１を提供することができる。
【００８３】
〔実施形態２〕
本発明の他の実施形態について図６ないし図８に基づいて説明すると以下の通りである。
【００８４】
図６は、本実施の形態に係る電話システム２の構成を示している。また、図７は、電話システム２における親機ＢＡＳＥ２および子機ＨＳｋの各構成を示している。
【００８５】
電話システム２は、デジタルコードレス電話システムであり、親機ＢＡＳＥ２と複数の子機ＨＳ１，ＨＳ２，ＨＳ３，…（任意の１つを表すときはＨＳｋと称する）とを備えている。親機ＢＡＳＥ２は、前述の親機ＢＡＳＥ１と異なり、１つの公衆回線Ｌ１にのみ接続可能であるため、アナログスイッチ１２、ベースバンド制御部２０およびＰＣＭバス２２を備えておらず、また、回線インタフェースユニット１１の代わりに１回線用の回線インターフェースユニット２５を備えている。
【００８６】
この親機ＢＡＳＥ２は、通信の管理装置として公衆回線Ｌ１の制御を行うとともに、ＲＦ通信によって子機ＨＳ１，ＨＳ２，ＨＳ３，…によるデータの授受や通話を制御する。また、電話システム２におけるＭＭＩ制御部１３ｃ，３３ｂは、電話システム１におけるそれらと基本的には同等の機能を有するが、子機ＨＳ１，ＨＳ２，ＨＳ３，…との間の無線通信路および公衆回線Ｌ１からなる複数の通信路のうちのいずれか１つを選んで通話するためのユーザインターフェースを提供する点で異なる。
【００８７】
続いて、上記のように構成される電話システム２における、公衆回線Ｌ１の外線着信または子機ＨＳｋからの内線着信に対する親機ＢＡＳＥ２の動作、および公衆回線Ｌ１の外線着信または親機ＢＡＳＥ２もしくは他の子機ＨＳｋからの内線着信に対する子機ＨＳｋの動作について説明する。
【００８８】
まず、公衆回線Ｌ１のみからの外線着信があった場合について説明する。
【００８９】
この場合、親機ＢＡＳＥ１の回線制御部１８ａは、公衆回線Ｌ１からの着信を検知すると、その検知結果をＭＭＩ制御部１３ｃ，３３ｂに通知する。また、このとき、いずれの子機ＨＳｋも発呼しておらず、待機状態にあるものとする。この状態で、ＭＭＩ制御部１３ｃ，３３ｂは、公衆回線Ｌ１からの外線着信の検知結果を、図８（ａ）に示すように表示器１６，３４にそれぞれ交互に表示させる。このとき、公衆回線Ｌ１からの着信があったことを示す“RINGING”および相手先名および相手先番号と、待機状態にある機器に関する情報とが切り替えて表示される。
【００９０】
外線着信情報表示時にキー操作部１７または３５の任意のキーが押下されると、前述のように外線鳴動に対して応答する処理が行われる。また、待機表示時にキー操作部１７または３５の内線呼び出しキーが押下されると、前述のように内線呼び出しを行う処理が行われる。
【００９１】
次に、親機ＢＡＳＥ２またはいずれか１つの子機ＨＳｋからの内線着信があった場合について説明する。
【００９２】
この場合、親機ＢＡＳＥ２のＲＦ制御部１８ｄは、子機ＨＳｋからの内線着信を検知すると、その検知結果をＭＭＩ制御部１３ｃに通知する。また、子機ＨＳｋのＲＦ制御部３３ａは、親機ＢＡＳＥ２または他の子機ＨＳｋからの内線着信を検知すると、その検知結果をＭＭＩ制御部３３ｂに通知する。この状態で、ＭＭＩ制御部１３ｃ，３３ｂは、内線着信の検知結果を、図８（ｂ）に示すように表示器１６，３４にそれぞれ交互に表示させる。このとき、内線着信があったことを示す“INTERCOM”および相手子機（親機）情報と、待機状態にある機器に関する情報とが切り替えて表示される。
【００９３】
内線呼出情報表示時にキー操作部１７または３５の任意のキーが押下されると、前述のように内線呼び出しに対して応答する処理が行われる。また、待機表示時にキー操作部１７または３５のＴＡＬＫキーが押下されると、前述のように外線に対して発呼処理を行う処理が行われる。
【００９４】
さらに、公衆回線Ｌ１からの外線着信と、親機ＢＡＳＥ２またはいずれか１つの子機ＨＳｋからの内線着信とが同時にあった場合について説明する。
【００９５】
この場合、回線制御部１８ａは、公衆回線Ｌ１からの着信を検知すると、その検知結果をＭＭＩ制御部１３ｃ，３３ｂに通知する。また、このとき、ＲＦ制御部１８ｄまたは３３ａは、前述のようにして内線着信を検知すると、その検知結果をＭＭＩ制御部１３ｃまたは３３ｂに通知する。この状態で、ＭＭＩ制御部１３ｃ，３３ｂは、外線着信の検知結果を、図８（ｃ）に示すように表示器１６，３４にそれぞれ交互に表示させる。このとき、公衆回線Ｌ１からの着信があったことを示す“RINGING”および相手先名および相手先番号と、内線着信があったことを示す“INTERCOM”および相手子機（親機）情報とが切り替えて表示される。
【００９６】
外線着信情報表示時にキー操作部１７または３５の任意のキーが押下されると、公衆回線Ｌ１の外線鳴動に対して前述のように応答する処理が行われる。また、内線呼出情報表示時にキー操作部１７または３５の任意のキーが押下されると、前述のように内線呼び出しに対して応答する処理が行われる。
【００９７】
このように、本実施形態に係る電話システム２も、電話システム１と同様、表示部１６，３４に複数の通信路についての着信状態を切り替えて表示するとともに、通信路を接続する操作がキー操作部１７，３５により行われると、そのとき着信状態が表示された通信路を接続する一方、そのとき待機状態が表示された未使用の外線の通信路に対し発呼処理を行うとともに、待機状態が表示された内線の通信路に対し内線呼び出し処理を行うように構成されている。これにより、複数の通信路から１つ選択して接続するための操作がキー操作のみであるので、操作が簡単になる。したがって、本実施形態の構成を採用することにより、操作性の優れた電話システム２を提供することができる。
【００９８】
なお、実施形態１および２では、親機ＢＡＳＥ１，ＢＡＳＥ２がＦＡＸ機能を有する電話機である例について説明した。しかしながら、親機ＢＡＳＥ１，ＢＡＳＥ２に相当する通信端末装置としては、ＦＡＸ機能を有さない電話機であってもよいし、また屋内交換機のような装置であってもよい。また、実施形態１および２では、複数の子機ＨＳｋを備える電話システム１，２について説明したが、これらのシステムが１つの子機ＨＳｋを備えていてもよい。さらに、親機ＢＡＳＥ１，ＢＡＳＥ２と子機ＨＳｋとの間は、無線で通信可能に接続されるが、有線で通信可能に接続されていてもよい。
【００９９】
本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１００】
本発明は、切り替えて表示される着信情報を確認しながら通信路を選択するための操作するので、複数の通信路で通信を行なう通信システム、特にコードレス電話機などの親機と子機とで構成される通信装置に有効に利用することができる。
【図面の簡単な説明】
【０１０１】
【図１】本発明の実施形態に係る電話システムの構成を示すブロック図である。
【図２】上記電話システムの外観構成を示す図である。
【図３】（ａ）ないし（ｄ）は上記電話システムの親機および子機の表示器に表示される表示内容を示す図である。
【図４】（ａ）および（ｂ）は上記電話システムの親機および子機の表示器に切り替えて表示される着信情報の内容を示す図である。
【図５】（ａ）ないし（ｃ）は上記電話システムの親機および子機の表示器に切り替えて表示される着信情報の他の内容を示す図である。
【図６】本発明の他の実施形態に係る上記電話システムの外観構成を示す図である。
【図７】図６の電話システムの構成を示すブロック図である。
【図８】（ａ）ないし（ｃ）は図６の電話システムの親機および子機の表示器に切り替えて表示される着信情報の内容を示す図である。
【符号の説明】
【０１０２】
１，２        電話システム
１３ｃ，３３ｂ  ＭＭＩ制御部（表示制御手段）
１６，３４      表示器（表示部）
１８ａ，２０ａ  回線制御部（接続手段）
１９，３９      記憶装置
１７，３５      キー操作部（接続操作部）
２４，３１      アンテナ（通信路）
ＢＡＳＥ１，２  親機（通信端末装置）
ＨＳｋ          子機（通信端末装置）
Ｌ１，Ｌ２      公衆回線（通信路）
【図１】
2005244874.tif 000003
【図２】
2005244874.tif 000004
【図３】
2005244874.tif 000005
【図４】
2005244874.tif 000006
【図５】
2005244874.tif 000007
【図６】
2005244874.tif 000008
【図７】
2005244874.tif 000009
【図８】
2005244874.tif 000010